(57)【要約】【課題】  平面スピーカ等の平板状音響装置において、使用時では安定して自立を維持することができるとともに、使用時以外では限られたスペースに多くの平板状音響装置を配置することができる技術を提供する。【解決手段】  平板状音響装置１は、平板状の振動板５を支持するフレーム１０と、フレーム１０の右下前面に固定される固定部３０１およびフレーム左下後面に固定される固定部３０２と、固定部３０１に連結される脚部２０１および固定部３０２に連結される脚部２０２とを有する。平板状音響装置１では、固定部３０１に対して脚部２０１が回転可能であり、かつ、固定部３０１に対して脚部２０１が長手方向に摺動可能であり、固定部３０２に対して脚部２０２が回転可能であり、かつ、固定部３０２に対して脚部２０２が長手方向に摺動可能である。【選択図】図１
2018037762.tif 000002
【特許請求の範囲】
【請求項１】
平板状の音響板を支持するフレームと、
前記フレームに固定される固定部と、
前記固定部に連結される棒状の脚部と、を有し、
前記固定部は、前記固定部に対して前記脚部を回転可能であり、かつ、前記脚部をその長手方向に摺動可能に連結する連結部を有する
ことを特徴とする平板状音響装置。
【請求項２】
前記脚部は、その側面に長手方向に延びる溝部を有し、
前記連結部は、形状が柱状であり、先端が前記溝部に収容されて前記固定部と前記脚部とを連結する
ことを特徴とする請求項１に記載の平板状音響装置。
【請求項３】
前記固定部は、前記固定部に対する前記脚部の位置および姿勢を保持する保持機構を有することを特徴とする請求項１または２に記載の平板状音響装置。
【請求項４】
前記固定部に対して前記フレームを挟んだ反対側において固定され、前記固定部に連結された前記脚部と着脱可能に連結されて前記脚部の回転角度を保持する第１の補助固定部を有することを特徴とする請求項１から３のいずれか１の請求項に記載の平板状音響装置。
【請求項５】
前記フレームにおける前記固定部が設けられた面と同一面において固定され、前記固定部に連結された前記脚部と着脱可能に連結されて前記脚部の回転角度を保持する第２の補助固定部を有することを特徴とする請求項４に記載の平板状音響装置。
【請求項６】
前記脚部を長手方向に伸縮可能な構成としたことを特徴とする請求項１から５のいずれか１の請求項に記載の平板状音響装置。
【発明の詳細な説明】
【技術分野】
【０００１】
この発明は、平面スピーカ等の平板状音響装置に関する。
【背景技術】
【０００２】
固定した音響設備を備える劇場やホールとは異なる場所、例えば、野外広場や展示場などにおいて、各種のイベント（例えば、コンサート、ライブ、物産展、展示会、販売促進を目的としたイベントなど）が開催される場合が多々ある。このようなイベントでは、音響設備がイベントの開催に合わせて仮設されて使用され、仮設された音響設備がイベントの終了に合わせて撤去される。このようなイベントでは、野外広場や展示会場などの広いエリアに放音することを要求される。野外広場等に仮設されるスピーカの一例として、平面スピーカが挙げられる。平面スピーカは他の種類のスピーカに比べて指向性が高く、遠くまで音を伝えることができるからである。
【０００３】
平面スピーカは、振動板の形状が平板状のスピーカである。平面スピーカでは、振動板の周囲に配置されたフレームによって振動板が支持される。平面スピーカのフレームのサイズおよび形状は、例えば、幅が約１ｍ、高さが約１．５ｍの方形枠状である。平面スピーカは、平板状の振動板から音が放音されるため、振動板が地面に対して鉛直に立つように（換言すると、放音面の法線が地面に対して水平になるように）設置される。平面スピーカには、フレームを立てて支持する脚部が設けられる。脚部の一例としては、棒状の部材であり、フレームの左下部および右下部の各々において、振動板の前後両面の各法線方向に延びるように（すなわち、脚部の長手方向と放音方向とが略同方向となるように）設けられるものが挙げられる。この種の脚部は、振動板が振動したとしても平面スピーカの姿勢を安定して維持できるような十分な長さを有する。このような脚部によって平面スピーカは自立する。
【０００４】
平板状のものを自立させる技術の一例として、特許文献１および２に開示の技術が挙げられる。特許文献１には、薄型の筐体を有するスクリーンスピーカシステムが開示されている。このスクリーンスピーカシステムは、筐体を構成する前面板に映像投射用のスクリーンを備えており、そのスクリーンの左右にサイドスピーカを備えている。このスクリーンスピーカシステムには、筐体を立てて支える支持脚が設けられている。支持脚は、筐体の下部から下方に延びるパイプに垂直に連結された棒状部材であり、パイプに連結された中央部において折れ曲がっている。支持脚における折れ曲がった角度は１２０度である。支持脚は、パイプが連結された中央部を中心としてパイプの周方向に回転可能となっている。このスクリーンスピーカシステムによれば、支持脚が回転可能であるため、筐体の背面側を壁面に極力接近させて設置することができる。
【０００５】
スピーカとは技術分野が全く異なるが、特許文献２には、電子黒板やホワイトボード等の平板状の筆記ボードを支持する筆記ボード用スタンドが開示されている。このスタンドは、左右の脚と、それら脚を連結する連結フレームとから構成される。左右の脚の各々と連結フレームとの間は、着脱可能に構成されている。すなわち、このスタンドは、複数の部品に分解することができ、分解された複数の部品からスタンドを組み立てることができるようになっている。このスタンドによれば、持ち運びの取り扱いを容易にすることができる。
【先行技術文献】
【特許文献】
【０００６】
【特許文献１】特開平７−２４０９８５号公報
【特許文献２】特開平１１−１９２７９７号公報
【発明の概要】
【発明が解決しようとする課題】
【０００７】
イベント会場に平面スピーカを仮設する場合、仮設する平面スピーカをイベント会場へ搬入する必要がある。また、イベントが終了した際には、その平面スピーカをイベント会場から搬出する必要がある。平面スピーカは、サイズが大きいため、その輸送にはトラックが用いられる。
【０００８】
平面スピーカの振動板は平板状であるため、振動板自体の奥行サイズは、幅や高さに比べて小さい。しかし、平面スピーカには、振動板の前後両面の各法線方向に延びる脚部が左下部および右下部に設けられているため、平面スピーカ全体の奥行サイズは、この脚部の長さによって定まる。すなわち、平面スピーカをトラックに積み込む際には、脚部の長さに応じた広さのスペースが必要となる。このため、１台のトラックに多くの平面スピーカを積み込むことができない、という問題がある。輸送が必要な平面スピーカが多くなると、トラックの台数を増やさなければならなくなり、平面スピーカの輸送にかかるコストが高くなる。
【０００９】
輸送時の平面スピーカ全体の奥行サイズを小さくするために、例えば、特許文献１の技術に倣って、平面スピーカの脚部の形状を中央部で折れ曲がった棒状とし、振動板およびフレームに対して脚部を回転可能な構成とすることが考えられる。しかし、このような構成にしても、脚部は、少なくとも一方の放音面から前方へ大きく突出する。このため、このような構成にしたとしても、平面スピーカが占有するスペースを十分に小さくすることができない。
【００１０】
また、例えば、特許文献２の技術に倣って、平面スピーカの脚部を複数の部品に分解および組み立て可能な構成とすることが考えられる。しかし、このような構成にすると、脚部の分解および組み立てをイベント毎に行う必要があり、平面スピーカの仮設および撤去に多くの労力が必要になる。また、このような構成にすると、ジョイント部分において生じる隙間等の影響でこのジョイント部分が振動板の振動に応じて振動し、このジョイント部分からノイズが発生する虞がある。このため、このような構成を平面スピーカに適用するのは好ましくない。
【００１１】
イベント会場には、平面スピーカだけでなく、例えば、平板状の音響板を有する音響反射板や遮音板や吸音板なども仮設されることがある。これらは、平板状の音響板（平面スピーカでは振動板）を有する点において共通する。このため、平面スピーカについて指摘した問題は、平面スピーカだけでなく、平板状の音響板を有する平板状音響装置であれば同様に当てはまる。
【００１２】
この発明は以上のような事情に鑑みてなされたものであり、平面スピーカ等の平板状音響装置において、使用時では安定して自立を維持することができるとともに、使用時以外では限られたスペースに多くの平板状音響装置を配置することができる技術を提供することを目的とする。
【課題を解決するための手段】
【００１３】
この発明は、平板状の音響板を支持するフレームと、前記フレームに固定される固定部と、前記固定部に連結される棒状の脚部と、を有し、前記固定部は、前記固定部に対して前記脚部を回転可能であり、かつ、前記脚部をその長手方向に摺動可能に連結する連結部を有することを特徴とする平板状音響装置を提供する。
【００１４】
この発明によれば、脚部が音響板およびフレームに対して回転するとともに摺動する。音響板およびフレームが脚部の長手方向中央付近に位置するように脚部を摺動し、脚部が音響板およびフレームに対して垂直となるように脚部を回転した姿勢で平板状音響装置を仮設すれば、音響板が振動したとしても平板状音響装置の自立が安定して維持される。一方、脚部が音響板およびフレームに対して水平となるように脚部を回転し、脚部の両端がフレームの幅方向の両側から大きく突出しないように脚部をフレームの幅方向の中央寄りに摺動した姿勢にすれば、平板状音響装置が占有するスペースを小さくすることができる。平板状音響装置の占有スペースが小さくなるため、限られたスペースに多くの平板状音響装置を配置することができる。このため、平板状音響装置を後者のように変形することで、多くの平板状音響装置をトラックに積み込むことができ、平板状音響装置の運搬コストを抑えることができる。
【００１５】
従って、本平板状音響装置によれば、使用時では安定して自立を維持することができるとともに、使用時以外では限られたスペースに多くの平板状音響装置を配置することができる。
【００１６】
また、本平板状音響装置によれば、脚部を振動板およびフレームに対して水平にすることができ、脚部をフレームの幅方向の中央寄りに摺動することができるため、平板状音響装置の占有スペースを特許文献１の技術に比べてより小さくすることができる。また、本平板状音響装置によれば、振動板およびフレームに対して脚部を回転および摺動させるだけで平板状音響装置の占有スペースを小さくすることができるため、仮設および撤去時の作業が特許文献２の技術に比べて簡便である。
【図面の簡単な説明】
【００１７】
【図１】この発明の第１実施形態である平板状音響装置１の構成を示す平面図である。
【図２】平板状音響装置１の構成を示す正面図である。
【図３】平板状音響装置１の構成を示す側面図である。
【図４】平板状音響装置１の固定部３０１およびその周辺の構成を示す斜視拡大図である。
【図５】固定部３０１に設けられた円柱部材３１１およびその周辺を放音方向に垂直な面で切断した断面図である。
【図６】使用形態から収納形態に変形される途中の平板状音響装置１の構成を示す平面図である。
【図７】使用形態から収納形態に変形される途中の平板状音響装置１の構成を示す平面図である。
【図８】収納形態に変形された後の平板状音響装置１の構成を示す平面図である。
【図９】収納形態に変形した複数個の平板状音響装置１を前後方向に重ねるように並べた例を示す平面図である。
【図１０】この発明の第２実施形態である平板状音響装置１Ａの構成を示す平面図である。
【図１１】収納形態に変形された後の平板状音響装置１Ａの構成を示す平面図である。
【図１２】収納形態に変形した複数個の平板状音響装置１Ａを前後方向に重ねるように並べた例を示す平面図である。
【図１３】この発明の第３実施形態である平板状音響装置１Ｂの構成を示す平面図である。
【図１４】平板状音響装置１Ｂの他の形態を示す平面図である。
【図１５】この発明の変形例（１）である平板状音響装置１Ｃの構成を示す平面図である。
【発明を実施するための形態】
【００１８】
以下、図面を参照し、この発明の実施形態について説明する。
＜第１実施形態＞
図１、図２および図３は、この発明の第１実施形態である平板状音響装置１の構成を示す平面図、正面図および側面図である。平板状音響装置１は、野外広場や展示会場などの各種のイベント会場に仮設される平面スピーカであり、広いエリアに放音することができる大きなサイズの平面スピーカである。平板状音響装置１は、振動板５と、フレーム１０と、脚部２０１および２０２と、固定部３０１および３０２と、補助固定部４０１および４０２とを有する。
【００１９】
振動板５の形状は、平板状となっている。振動板５は、例えば、発砲スチロールにより構成される。振動板５の周囲には、振動板５の放音面を遮らずに振動板５を取り囲むフレーム１０が配置される。ここで、本実施形態では、放音方向（図１〜図３におけるＹ軸方向）を前後方向と呼び、地面に対する鉛直方向（図１〜図３におけるＺ軸方向）を上下方向または高さ方向と呼び、放音方向および鉛直方向の両方向に直交する方向（図１〜図３におけるＸ軸方向）を左右方向または幅方向と呼ぶ。フレーム１０のサイズおよび形状は、例えば、幅が約１ｍ、高さが約１．５ｍの方形枠状である。振動板５は、フレーム１０の内側の領域において、エッジ（図示略）を介してフレームに支持されている。振動板５およびフレーム１０は、振動板５が地面に対して鉛直に立つような姿勢（換言すると、放音面の法線が地面に対して水平になるような姿勢）で配置される。なお、フレーム１０のサイズおよび形状は、例示したサイズおよび形状に限らない。また、振動板５のサイズおよび形状についても、フレーム１０と同様に、適宜好適なサイズおよび形状にすれば良い。また、振動板５の破損を防ぐため、振動板５の放音面上を音が通る保護膜等で覆っても良い。
【００２０】
平板状音響装置１には、フレーム１０を立てて支持する脚部２０１および２０２が設けられている。脚部２０１および２０２は、棒状の部材であり、具体的には、略角パイプ状の部材である。脚部２０１および２０２は、フレーム１０の幅寸法と同程度の長さ（例えば約１ｍの長さ）を有する。脚部２０１および２０２は、フレーム１０の外縁よりも外側下方に配置されている。より詳細には、脚部２０１は、平板状音響装置１の前面に向かってフレーム１０の右下に配置されており、脚部２０２は、フレーム１０の左下に配置されている（図２参照）。図１〜図３に示すように、脚部２０１および２０２は、振動板５の前後両面の各法線方向に延びるように（換言すると、振動板５およびフレーム１０に垂直に）配置されている。このような脚部２０１および２０２によって平板状音響装置１は自立する。脚部２０１および２０２の各々の両端の下側の側面には、キャスタ５０が設けられている。脚部２０１および２０２は、後に詳述するが、振動板５およびフレーム１０に対する姿勢を変えることができるようになっている。
【００２１】
フレーム１０における前面に向かって右下の角の当該前面には、固定部３０１が固定されている。固定部３０１は、脚部２０１に連結されており、脚部２０１をフレーム１０に連結させる部材である。また、フレーム１０における後面に向かって右下の角の当該後面には、固定部３０２が固定されている。固定部３０２は、脚部２０２に連結されており、脚部２０２をフレーム１０に連結させる部材である。固定部３０１と固定部３０２とは、同様の構成となっており、フレーム１０の幅方向の中央を回転軸とした回転対称となる位置に配置されている。
【００２２】
図４は、固定部３０１およびその周辺の構成を示す斜視拡大図である。固定部３０１は、略直角三角状のブロックである。固定部３０１は、直角に交差する面の一方の面がフレーム１０の前面に接触しており、ボルト３５１によってフレーム１０に固定される。固定部３０１の直角に交差する他方の面は、鉛直方向の下方に向いており、脚部２０１の上側の側面に接触している。脚部２０１の上側の側面には、長手方向に延びる溝部２１１が設けられている。溝部２１１は、脚部２０１の全長に亙って設けられている。固定部３０１には、脚部２０１に向けて突出する円柱部材３１１が設けられている。円柱部材３１１は、具体的にはボルトである。
【００２３】
図５は、固定部３０１に設けられた円柱部材３１１およびその周辺を放音方向に垂直な面で切断した断面図である。図５における脚部２０１については、長手方向に垂直な面で切断された断面が示されている。溝部２１１は、脚部２０１の内壁面間の幅よりも開口幅が狭くなるように構成されている。溝部２１１には、開口幅よりも外寸が大きなナット３４１が収容されている。固定部３０１には、固定部３０１を上下方向に貫通する穴が設けられており、円柱部材３１１は、その穴に収容されている。円柱部材３１１の下側（脚部２０１側）の先端３２１は、固定部３０１の下面よりも下方へ突出して溝部２１１に収容されている。円柱部材３１１は、溝部２１１内においてナット３４１に組み合わされている。
【００２４】
円柱部材３１１の上側の先端は、固定部３０１の上面よりも上方へ突出している。円柱部材３１１の突出した上部には、水平よりもやや上方に延びるレバー３３１が連結されている。レバー３３１の支点部分の内部において、円柱部材３１１の外周とレバー３３１の支点部分の内周には互いに噛み合わされるセレーション（歯切り部）（図示略）が設けられている。レバー３３１は、上下方向に操作可能となっている。レバー３３１が下げられた状態では、円柱部材３１１およびレバー３３１のセレーションが互いに噛み合わされた状態となる。この状態において円柱部材３１１を中心にレバー３３１を回転させると、レバー３３１の回転に応じて円柱部材３１１も周方向に回転する。一方、レバー３３１が上げられた状態では、円柱部材３１１およびレバー３３１のセレーションの噛み合いがはずれた状態となる。この状態において円柱部材３１１を中心にレバー３３１を回転させると、レバー３３１のみが回転し、円柱部材３１１の状態が維持される。このように、レバー３３１は、円柱部材３１１の回転操作を助けるために設けられている。なお、図４および図５を除く他の図では、レバー３３１の図示が省略されている。また、レバー３３１は、セレーションの噛み合わせによる構成に限らない。例えば、レバー３３１は、一方向に回すと円柱部材３１１が回転し、逆方向に回すと空回りして円柱部材３１１が回転しないようなラチェット機構を有する構成であっても良い。
【００２５】
平板状音響装置１では、円柱部材３１１（より具体的には円柱部材３１１の上部およびレバー３３１）とナット３４１との間に脚部２０１（より具体的には脚部２０１の溝部２１１近傍）と固定部３０１とが挟まれる。平板状音響装置１では、右ねじを後退させる方向に円柱部材３１１を回転させると、円柱部材３１１およびナット３４１による脚部２０１および固定部３０１の締め付けが緩まる。円柱部材３１１およびナット３４１による締め付けを十分に緩め、かつ、円柱部材３１１とナット３４１とが完全に外れない状態にすると、脚部２０１および固定部３０１の連結が維持されつつ円柱部材３１１の上部等とナット３４１との間に空間的な余裕が生じ、ナット３４１が円柱部材３１１に対して容易に回転できるようになる。このため、この状態では、脚部２０１は、ナット３４１とともに固定部３０１に対して円柱部材３１１の周方向に自由に回転することができる。なお、脚部２０１を回転させるためには、脚部２０１と後述の補助固定部４０１との連結を解除しておくことも必要である。
【００２６】
平板状音響装置１では、円柱部材３１１の下側の先端が脚部２０１の長手方向に延びる溝部２１１に収容されている。円柱部材３１１およびナット３４１による締め付けを十分に緩め、かつ、円柱部材３１１とナット３４１とが完全に外れない状態にすると、脚部２０１は、円柱部材３１１の下側の先端を溝部２１１に収容した状態を維持しつつ円柱部材３１１に対して容易に移動することができるようになる。すなわち、この状態では、脚部２０１は、固定部３０１（換言すると円柱部材３１１）に対して脚部２０１の長手方向に摺動することができる。なお、脚部２０１を摺動するためには、後述の補助固定部４０１において少なくともボルトおよびナットによる締め付けを緩めておくことも必要である。
【００２７】
このように、平板状音響装置１では、脚部２０１が円柱部材３１１（換言すると固定部３０１）を中心として円柱部材３１１の周方向に回転可能となっており、かつ、脚部２０１が円柱部材３１１に対して長手方向に摺動可能となっている。固定部３０１に設けられた円柱部材３１１は、固定部３０１に対して脚部２０１を回転可能であり、かつ、脚部２０１をその長手方向に摺動可能に連結する連結部としての役割を担う。
【００２８】
平板状音響装置１では、右ねじを進ませる方向に円柱部材３１１を回転すると、円柱部材３１１およびナット３４１による脚部２０１および固定部３０１の締め付けが強くなる。円柱部材３１１およびナット３４１による締め付けが強くなると、固定部３０１と脚部２０１との間が強固に連結されて脚部２０１が固定部３０１に固定され、固定部３０１に対する脚部の回転および摺動が抑止される。このことから、円柱部材３１１、ナット３４１およびレバー３３１は、固定部３０１に対する脚部２０１の位置および姿勢を保持する保持機構としての役割を担う。
【００２９】
固定部３０１および脚部２０１について詳述したが、固定部３０２および脚部２０２も固定部３０１および脚部２０１と同様な構成となっている。すなわち、脚部２０２には、長手方向に延びる溝部２１２が設けられており、固定部３０２と脚部２０２とは、固定部３０２に設けられた円柱部材３１２の先端が溝部２１２に収容されて連結されている。
【００３０】
図１〜図３に示すように、固定部３０１に対して、フレーム１０を挟んだ反対側には、補助固定部４０１が固定されている。また、固定部３０２に対してフレーム１０を挟んだ反対側には、補助固定部４０２が固定されている。補助固定部４０１および４０２は、基本的には固定部３０１および３０２と同様の構成となっている。例えば、補助固定部４０１は、円柱部材３１１に対応するボルト４１１を有し、補助固定部４０２は、円柱部材３１２に対応するボルト４１２を有する。
【００３１】
補助固定部４０１は、固定部３０１に連結された脚部２０１と着脱可能に連結される。具体的には、補助固定部４０１には、上方から下方へ向けてボルト４１１が挿入される穴が設けられている。脚部２０１が補助固定部４０１の下に配置されると、ボルト４１１の先端が脚部２０１の溝部２１１に収容される。収容されたボルト４１１が溝部２１１に予め収容されてあるナットに組み合わされることで、補助固定部４０１と脚部２０１とが連結される。脚部２０１が補助固定部４０１に連結された状態では、脚部２０１が固定部３０１と補助固定部４０１の２箇所において連結されるため、脚部２０１の回転角度が放音面に垂直な角度に保持される。
【００３２】
補助固定部４０２は、補助固定部４０１と同様に、固定部３０２に連結された脚部２０２とボルト４１２を用いて着脱可能に連結される。脚部２０２が補助固定部４０２に連結された状態では、脚部２０２が固定部３０２と補助固定部４０２の２箇所において連結されるため、脚部２０２の回転角度が放音面に垂直な角度に保持される。
【００３３】
上述のように、固定部３０１に連結された脚部２０１を補助固定部４０１に連結し、固定部３０２に連結された脚部２０２を補助固定部４０２に連結すると、脚部２０１および２０２の姿勢が振動板５およびフレーム１０に対して垂直になる。このため、平板状音響装置１をこの状態でイベント会場等に仮設すれば、振動板５が振動したとしても平板状音響装置１の自立が安定して維持される。
【００３４】
次に、本実施形態の平板状音響装置１をイベント会場等から搬出する場合を例に平板状音響装置１の動作を説明する。平板状音響装置１は、イベント会場等では、図１〜図３に示す形で仮設されて使用される。以下、平板状音響装置１において使用に適した形（図１〜図３の形）のことを、便宜的に使用形態と呼ぶ。平板状音響装置１は、使用時以外には、輸送や保管などに適した形に変形される。以下、平板状音響装置１において輸送や保管などに適した形のことを、便宜的に収納形態と呼ぶ。イベント会場等から搬出される場合には、平板状音響装置１は、使用形態から収納形態に変形される。
【００３５】
図６および図７は、使用形態から収納形態に変形する途中の平板状音響装置１の構成を示す平面図である。図８は、収納形態に変形された後の平板状音響装置１の構成を示す平面図である。使用形態から収納形態への変形は、平板状音響装置１の所有者や輸送業者やイベント会場設営業者やイベント運営者など（以下、作業者という）によって行われる。
【００３６】
まず、図１〜図３に示す使用形態の平板状音響装置１に対して、作業者は、ボルト４１１を取り外して補助固定部４０１と脚部２０１の連結を解除し、ボルト４１２を取り外して補助固定部４０２と脚部２０２の連結を解除する。次に、作業者は、レバー３３１を利用し、円柱部材３１１とナット３４１とが完全に外れない範囲で円柱部材３１１およびナット３４１による締め付けを十分に緩め、脚部２０１の固定を緩める。作業者は、脚部２０１と同様にして脚部２０２の固定も緩める。
【００３７】
次に、図６に示すように、作業者は、脚部２０１を振動板５およびフレーム１０に対して前方に摺動させ、脚部２０２を振動板５およびフレーム１０に対して後方に摺動させる。脚部２０１および２０２をこのような方向に摺動するのは、脚部２０１と連結されている固定部３０１がフレーム１０の前面側に固定されており、脚部２０２と連結されている固定部３０２がフレーム１０の後面側に固定されているからである。すなわち、作業者は、フレーム１０に対して固定部３０１および３０２のある面側にその固定部３０１および３０２に連結されている脚部２０１および２０２の全部を配置するように脚部２０１および２０２を摺動させる。脚部２０１は、固定部３０１が脚部２０１の端部上に位置するまで摺動し、脚部２０２は、固定部３０２が脚部２０２の端部上に位置するまで摺動する。
【００３８】
次に、図７に示すように、作業者は、脚部２０１の端部上の固定部３０１を支点として、脚部２０１を振動板５およびフレーム１０の前面に近づく方向に回転させ、脚部２０２の端部上の固定部３０２を支点として、脚部２０２を振動板５およびフレーム１０の後面に近づく方向に回転させる。脚部２０１は、固定部３０１が位置する端部とは反対側の端部が補助固定部４０２の下に位置するまで回転し、脚部２０２は、固定部３０２が位置する端部とは反対側の端部が補助固定部４０１の下に位置するまで回転する。
【００３９】
次に、図８に示すように、作業者は、補助固定部４０２の上側からボルト４１２を取り付けて補助固定部４０２と脚部２０１とを連結し、補助固定部４０１の上側からボルト４１１を取り付けて補助固定部４０１と脚部２０２とを連結する。具体的には、ボルト４１２が脚部２０１の溝部２１１に収容されてあるナットに組み合わされ、ボルト４１１が脚部２０２の溝部２１２に収容されてあるナットに組み合わされる。なお、作業者は、ボルト４１１およびナットによる締め付けを強くして脚部２０１を補助固定部４０１に固定するのが好ましい。
【００４０】
次に、作業者は、レバー３３１を利用し、円柱部材３１１およびナット３４１による締め付けを強くし、脚部２０１を固定部３０１に固定し直す。同様にして、作業者は、脚部２０２を固定部３０２に固定し直す。
【００４１】
脚部２０１が補助固定部４０２に連結され、脚部２０１が固定部３０１に固定し直されると、脚部２０１が固定部３０１と補助固定部４０２の２箇所において連結されて固定されるため、脚部２０１の回転角度が放音面に水平な角度に保持される。同様に、脚部２０２が補助固定部４０１に連結され、脚部２０２が固定部３０２に固定し直されると、脚部２０２が固定部３０２と補助固定部４０１の２箇所において連結されて固定されるため、脚部２０２の回転角度が放音面に水平な角度に保持される。平板状音響装置１は、このようにして収納形態に変形される。
【００４２】
ここで、脚部２０１および２０２が固定部３０１および３０２に対して回転は可能であるが摺動は可能ではないと仮定する。この場合、脚部２０１および２０２を単にフレーム１０に対して水平な角度にすると、脚部２０１および２０２の各々の一端がフレーム１０の幅方向の両側から大きく突出することとなる。
【００４３】
これに対して、本実施形態の平板状音響装置１では、脚部２０１および２０２が固定部３０１および３０２に対して回転可能なだけではなく、摺動も可能である。平板状音響装置１では、脚部２０１および２０２における摺動が可能ではないとした場合にフレーム１０の幅方向の両側に突出することとなる部分を、脚部２０１および２０２を摺動することで、フレーム１０の幅方向の中央に向かって移動することができる。さらに、脚部２０１および２０２の長さは、フレーム１０の幅と同程度である。このため、平板状音響装置１では、脚部２０１および２０２の一端がフレーム１０の幅方向の一端から突出しないように脚部２０１および２０２を摺動したとしてもフレーム１０の幅方向の他端から脚部２０１および２０２の他端が突出しない。
【００４４】
このように、収納形態に変形された平板状音響装置１では、脚部２０１および２０２が振動板５およびフレーム１０に対して水平な角度になっているとともに、脚部２０１および２０２の両端がフレーム１０の幅方向の両側から大きく突出していない。このため、平板状音響装置１を収納形態に変形することで、使用形態の平板状音響装置１の幅方向のサイズを維持しつつ、使用形態の平板状音響装置１に比べ、前後方向のサイズを小さくすることができる。すなわち、平板状音響装置１を収納形態に変形することで、使用形態の平板状音響装置１に比べ、平板状音響装置１が占有するスペースを小さくすることができる。
【００４５】
図９は、収納形態に変形した複数個の平板状音響装置１を前後方向に重ねるように並べた例を示す平面図である。図９に示すように、平板状音響装置１を収納形態に変形することで、限られたスペースに多くの平板状音響装置１を密集して配置することができる。このため、収納形態に変形した複数の平板状音響装置１をトラック内で図９に示すように重ねて並べることで、使用形態の平板状音響装置１をトラックに積み込む場合に比べ、多くの平板状音響装置１をトラックに積み込むことができる。従って、本実施形態の平板状音響装置１によれば、平板状音響装置１の運搬コストを抑えることができる。
【００４６】
ここまでは、平板状音響装置１をイベント会場等から搬出する例を説明した。これに対し、平板状音響装置１をイベント会場等へ搬入する場合には、収納形態に変形されて図９のようにトラックに積み込まれている平板状音響装置１を使用形態に変形すれば良い。収納形態から使用形態への変形については、使用形態から収納形態へ変形した逆の手順を行えば良い。
【００４７】
従って、本実施形態の平板状音響装置１によれば、使用時では安定して自立を維持することができるとともに、使用時以外では限られたスペースに多くの平板状音響装置１を配置することができる。
【００４８】
本実施形態の平板状音響装置１において、補助固定部４０１は、フレーム１０を挟んで反対側の固定部３０１に連結されている脚部２０１と着脱可能に連結されて脚部２０１の回転角度を放音面に垂直な角度に保持する第１の補助固定部として機能するとともに、補助固定部４０１が固定されたフレーム１０の面と同一面側の固定部３０２に連結されている脚部２０２と着脱可能に連結されて当該脚部２０２の回転角度を放音面に水平な角度に保持する第２の補助固定部としても機能する。同様に、補助固定部４０２は、フレーム１０を挟んで反対側の固定部３０２に連結されている脚部２０２と着脱可能に連結されて脚部２０２の回転角度を放音面に垂直な角度に保持する第１の補助固定部として機能するとともに、補助固定部４０２が固定されたフレーム１０の面と同一面側の固定部３０１に連結されている脚部２０１と着脱可能に連結されて脚部２０１の回転角度を放音面に水平な角度に保持する第２の補助固定部としても機能する。
【００４９】
平板状音響装置１では、固定部３０１および補助固定部４０２がフレーム１０の前面に固定されており、固定部３０２および補助固定部４０１がフレーム１０の後面に固定されている。これにより、収納形態に変形された平板状音響装置１では、脚部２０１が振動板５およびフレーム１０の前方に配置され、脚部２０２が振動板５およびフレーム１０の後方に配置されることとなる。このため、収納形態に変形された平板状音響装置１においても平板状音響装置１の自立が維持される。また、平板状音響装置１では、使用時以外において収納形態に変形される。収納形態の平板状音響装置１では、使用形態の平板状音響装置１に比べ、前後方向のサイズが小さく多少安定性が低下する。しかし、使用時以外において多少安定性が低下したとしても、特段の問題とはならない。例えば、トラックなどによる輸送時には、貨物室内において平板状音響装置１の転倒防止対策を施すことも可能である。このため、収納形態の平板状音響装置１をトラックに積み込んでも、振動板５およびフレーム１０を立てた状態を維持して輸送することが可能である。
【００５０】
＜第２実施形態＞
図１０は、この発明の第２実施形態である平板状音響装置１Ａの構成を示す平面図である。本実施形態の平板状音響装置１Ａは、固定部３０１および３０２に代えて固定部３０１Ａおよび３０２Ａを有する点において第１実施形態の平板状音響装置１と異なる。
【００５１】
本実施形態において、固定部３０２Ａは、フレーム１０における前面に向かって左下の角の当該前面に固定されている。すなわち、平板状音響装置１Ａでは、固定部３０１Ａと固定部３０２Ａとがフレーム１０における同一面（前面）側において固定されている。また、本実施形態において、補助固定部４０２は、フレーム１０における後面に向かって右下の角の当該後面（換言すると、固定部３０２Ａに対してフレーム１０を挟んだ反対側）に固定されている。すなわち、平板状音響装置１Ａでは、補助固定部４０１と補助固定部４０２とがフレーム１０における同一面（後面）側において固定されている。
【００５２】
固定部３０１Ａは、その上面に目印３６１Ａが設けられている点において固定部３０１と異なり、固定部３０２Ａは、その上面に目印３６２Ａが設けられている点において固定部３０２と異なる。目印３６１Ａおよび３６２Ａは、平板状音響装置１Ａを収納形態に変形する際の脚部２０１および２０２の回転角度の目印として利用される。目印３６１Ａは、例えば、フレーム１０の前方に向かう法線に対して、フレーム１０の幅方向右端よりも右側に約４５度回転した方向に延びる直線状の表示である。目印３６２Ａは、例えば、フレーム１０の前方に向かう法線に対して、フレーム１０の幅方向左端よりも左側に約４５度回転した方向に延びる直線状の表示である。
【００５３】
平板状音響装置１Ａは、平板状音響装置１と同様、固定部３０１Ａに連結された脚部２０１が補助固定部４０１に連結され、固定部３０２Ａに連結された脚部２０２が補助固定部４０２に連結されて、脚部２０１および２０２の回転角度が放音面に垂直な角度に保持された形（すなわち使用形態）でイベント会場等に仮設される。
【００５４】
図１１は、補助固定部４０１と脚部２０１との連結および補助固定部４０２と脚部２０２との連結を解除し、固定部３０１Ａおよび３０２Ａに対して脚部２０１および２０２を回転および摺動させた平板状音響装置１Ａの一例を示す平面図である。図１１には、脚部２０１におけるフレーム１０の後面側の先端および脚部２０２におけるフレーム１０の後面側の先端の各々をフレーム１０の当該後面に近づけるように、脚部２０１および２０２を回転および摺動させた状態が示されている。より詳細には、図１１に示す平板状音響装置１Ａは、脚部２０１におけるフレーム１０の後面側部分とフレーム１０の後面との角度が約４５度となり、脚部２０２におけるフレーム１０の後面側部分とフレーム１０の後面との角度が約４５度となるような形に変形されている。作業者は、目印３６１Ａに脚部２０１や溝部２１１を合わせ、目印３６２Ａに脚部２０２や溝部２１２を合わせることで、容易に図１１に示す形（すなわち収納形態）に変形することができる。平板状音響装置１Ａは、収納形態に変形されて輸送される。
【００５５】
平板状音響装置１Ａでは、固定部３０１Ａと固定部３０２Ａとがフレーム１０の同一面（前面）側にあるため、脚部２０１および２０２を回転および摺動しても、フレーム１０の幅方向の中央を対称軸として平板状音響装置１Ａを左右対称の形にすることができる。このように、平板状音響装置１Ａでは、脚部２０１および２０２を回転および摺動しても左右対称の形にすることができるため、平板状音響装置１Ａを安定して自立させることができる。
【００５６】
図１２は、収納形態に変形した複数の平板状音響装置１Ａを前後方向に重ねるように並べた例を示す平面図である。収納形態に変形した平板状音響装置１Ａでは、脚部２０１におけるフレーム１０の前面側の先端と脚部２０２におけるフレーム１０の前面側の先端との距離が、脚部２０１におけるフレーム１０の後面側の先端と脚部２０２におけるフレーム１０の後面側の先端との距離よりも大きくなる。このため、収納形態の平板状音響装置１Ａでは、フレーム１０の前面側の中央に広く空いたスペースが生じ、フレームの後面側の左右に広く空いたスペースが生じる。本実施形態では、前後に重なる平板状音響装置１Ａの一方の平板状音響装置１Ａの前面側のスペースに、他の平板状音響装置１Ａの後面側の脚部２０１および２０２を配置するとともに、当該他の平板状音響装置１Ａの後面側のスペースに、当該一方の平板状音響装置１Ａの前面側の脚部２０１および２０２を配置することができる。収納形態の平板状音響装置１Ａをこのように配置することで、使用形態の平板状音響装置１Ａを並べて配置する場合に比べ、限られたスペースに多くの平板状音響装置１Ａを配置することができる。
【００５７】
従って、本実施形態によっても、第１実施形態と同様の効果が得られる。
【００５８】
平板状音響装置１Ａでは、フレーム１０の後面に対する脚部２０１および２０２の角度を所定の角度（例えば４５度）に維持させるために、固定部３０１Ａおよび３０２Ａに対する脚部２０１および２０２の位置および姿勢を保持する保持機構を固定部３０１Ａおよび３０２Ａに設けるのが好ましい。例えば、固定部３０１Ａの側面に設けられて上下に移動可能な棒状のストップピンと、脚部２０１の溝部２１１内の底面に設けられてストップピンの先端を収容可能な窪み部とから構成される保持機構が挙げられる。ストップピンは、使用形態において、固定部３０１Ａの底面から下方へ突出しない。一方、脚部２０１が所定角度になると、ストップピンが固定部３０１Ａの底面から下方へ突出して、その先端が窪み部に収容される。これにより、脚部２０１の回転および摺動が制限される。また、他の例において、上述の窪み部は設けられていなくても良い。脚部２０１が所定角度になった際にストップピンが溝部２１１に収容されるようにすれば、少なくとも脚部２０１の回転角度を保持することができるからである。なお、ストップピンは、固定部３０１Ａの側面において回転することで、固定部３０１Ａの底面から下方へ突出する構成であっても良い。
【００５９】
本実施形態の平板状音響装置１Ａでは、固定部３０１Ａおよび３０２Ａに目印３６１Ａおよび３６２Ａが設けられていた。しかし、平板状音響装置において、脚部２０１および２０２に目印を設けても良い。例えば、脚部２０１および２０２の各々の上側の側面の長手方向の所定の位置に長手方向に対して約４５度の斜線を目印として設ける、という具合である。この態様において、作業者は、平板状音響装置を収納形態に変形する際に、脚部２０１に設けられた目印に固定部３０１Ａを合わせ、脚部２０２に設けられた目印に固定部３０２Ａを合わせるように、脚部２０１および２０２を回転および摺動させる。この態様によれば、脚部２０１および２０２の回転角度だけでなく脚部２０１および２０２の摺動量もほぼ一定にすることができ、第２実施形態に比べ、より容易に形態の変更を行うことができる。また、この態様によれば、脚部２０１の摺動量と脚部２０２の摺動量とをほぼ一致させることができる。
【００６０】
＜第３実施形態＞
図１３は、この発明の第３実施形態である平板状音響装置１Ｂの構成を示す平面図である。図１４は、平板状音響装置１Ｂの他の形態を示す平面図である。平板状音響装置１Ｂは、脚部２０１および２０２に代えて脚部２０１Ｂおよび２０２Ｂを有する点が第１実施形態の平板状音響装置１と異なる。
【００６１】
脚部２０１Ｂおよび２０２Ｂは、その長手方向に伸縮可能な構成とした点が、脚部２０１および２０２と異なる。より詳細には、脚部２０１Ｂは、脚部２０１Ｂの中央部を構成する脚部２６１と、脚部２０１Ｂの各先端部を構成する脚部２５１とを有する。脚部２６１および脚部２５１は、脚部２５１が脚部２６１内に収容されて脚部２０１Ｂの長さが短くなる一方、脚部２５１が脚部２６１から突出して脚部２０１Ｂの長さが長くなるように、長手方向に摺動可能に連結されている。脚部２６１には、長手方向に延びる溝部２８１が設けられており、脚部２５１には、長手方向に延びる溝部２７１が設けられており、これら溝部２８１および２７１は、繋がっている。同様に、脚部２０２Ｂは、脚部２０２Ｂの中央部を構成する脚部２６２と、脚部２０２Ｂの各先端部を構成する脚部２５２とを有する。脚部２６２および脚部２５２は、脚部２５２が脚部２６２内に収容されて脚部２０２Ｂの長さが短くなる一方、脚部２５２が脚部２６２から突出して脚部２０２Ｂの長さが長くなるように、長手方向に摺動可能に連結されている。脚部２６２には、長手方向に延びる溝部２８２が設けられており、脚部２５２には、長手方向に延びる溝部２７２が設けられており、これら溝部２８２および２７２は、繋がっている。
【００６２】
本実施形態の平板状音響装置１Ｂでは、第１実施形態の平板状音響装置１と同様に、脚部２０１Ｂが固定部３０１に対して回転および摺動可能であり、脚部２０２Ｂが固定部３０２に対して回転および摺動可能である。従って、本実施形態によっても、第１実施形態と同様の効果が得られる。
【００６３】
また、平板状音響装置１Ｂは、脚部２０１Ｂおよび２０２Ｂが長手方向に伸縮可能であるため、平板状音響装置１Ｂが占めるスペースを使用時の状況等に応じて適宜調整することができる。例えば、平板状音響装置１Ｂを仮設するのに十分なスペースがある場合には、脚部２０１Ｂおよび２０２Ｂの長さを長くして平板状音響装置１Ｂを仮設すれば良く、平板状音響装置１Ｂを仮設するスペースを十分に確保できない場合には、脚部２０１Ｂおよび２０２Ｂの長さを短くして平板状音響装置１Ｂを仮設すれば良い。
【００６４】
本実施形態では、脚部２０１Ｂの長手方向の全長に亙って溝部２８１および２７１が設けられていた。しかし、脚部２０１Ｂの全長に溝部が設けられる態様に限らず、例えば、脚部２０１Ｂにおける溝部２５１には溝部が設けられなく、脚部２６１にのみ溝部が設けられても良い。脚部２０２Ｂも同様である。
【００６５】
＜他の実施形態＞
以上、この発明の各実施形態について説明したが、この発明には他にも実施形態が考えられる。例えば次の通りである。
【００６６】
（１）図１５は、この変形例（１）の平板状音響装置１Ｃの構成を示す平面図である。図１５に示す平板状音響装置１Ｃでは、固定部３０１Ｃおよび３０２Ｃ、補助固定部４０１Ｃおよび４０２Ｃが、フレーム１０の角とフレーム１０の幅方向の中央との間に設けられている。すなわち、平板状音響装置において、固定部および補助固定部の設けられる位置は、フレームの角近傍に限らない。この変形例（１）においても第１実施形態と同様の効果が得られる。
【００６７】
（２）第１実施形態の平板状音響装置１の固定部３０１および３０２には、固定部３０１および３０２に対する脚部２０１および２０２の位置および姿勢を保持する保持機構が設けられていた。しかし、固定部３０１および３０２において、この保持機構が設けられていなくても良い。脚部２０１および２０２が固定部３０１および３０２と補助固定部４０１および４０２の２箇所に連結されれば、少なくとも脚部２０１および２０２の回転移動が抑制され、脚部２０１および２０２の姿勢を制限することができるからである。また、この保持機構と同様の保持機構を固定部３０１および３０２だけでなく補助固定部４０１および４０２にも設けても良いし、補助固定部４０１および４０２のみに設けても良い。他の実施形態においても同様である。
【００６８】
（３）第１実施形態の平板状音響装置１では、脚部２０１と固定部３０１とが連結されており、脚部２０２と固定部３０２とが連結されていた。しかし、固定部３０１は、補助固定部４０１のように脚部２０１に対して着脱可能に連結される構成となっていても良い。固定部３０２についても同様であり、他の実施形態においても同様である。第１実施形態の平板状音響装置１において、固定部３０２が脚部２０２に対して着脱可能であれば、固定部３０２を補助固定部とみなし、補助固定部４０２を固定部とみなすことも可能である。これにより、第１実施形態の平板状音響装置１において、固定部とみなした補助固定部４０２に対して脚部２０２を回転および摺動させることも可能である。
【００６９】
（４）平板状音響装置において、固定部に対してフレームを挟んだ反対側において固定される第１の補助固定部を省略しても良いし、フレームにおける固定部が設けられた面と同一面において固定される第２の補助固定部を省略しても良いし、第１の補助固定部と第２の補助固定部の両方を省略しても良い。第１および第２の補助固定部を省略した場合、脚部の位置および姿勢を保持する保持機構を固定部に設けるのが好ましい。
【００７０】
（５）平板状音響装置において、フレームは、振動板の全周を取り囲む構成に限らない。例えば、フレームは、幅方向に延びる上部または下部の一部が省略された構成であっても良い。
【００７１】
（６）第１実施形態の平板状音響装置１では、円柱状の円柱部材３１１が固定部３０１と脚部２０１とを連結する連結部の役割を担っていた。しかし、連結部の形状は円柱状に限らず柱状であれば良い。例えば、連結部は、ナットと組み合わされる部分の形状のみが円柱状となっており、その他の部分の形状が角柱状となっていても良い。
【００７２】
（７）第１実施形態の平板状音響装置１には、脚部２０１および２０２にキャスタ５０が設けられていたが、キャスタ５０は省略されても良い。他の実施形態においても同様である。
【００７３】
（８）各実施形態および各変形例において、平板状音響装置１は、平面スピーカであった。しかし、平板状音響装置は、平面スピーカに限らず、音響反射板や遮音板や吸音板などであっても良い。平板状の音響板を有する平板状音響装置であれば、各実施形態および各変形例の技術を適用することができる。
【符号の説明】
【００７４】
１，１Ａ，１Ｂ，１Ｃ…平板状音響装置、５…振動板、１０…フレーム、５０…キャスタ、２０１，２０２，２０１Ｂ，２０２Ｂ，２５１，２５２，２６１，２６２…脚部、２１１，２１２，２７１，２７２，２８１，２８２…溝部、３０１，３０２，３０１Ａ，３０２Ａ…固定部、３１１，３１２…円柱部材、３２１…先端、３３１…レバー、３４１…ナット、３５１…ボルト、３６１Ａ，３６２Ａ…目印、４０１，４０２…補助固定部、４１１，４１２…ボルト。
【図１】
2018037762.tif 000003
【図２】
2018037762.tif 000004
【図３】
2018037762.tif 000005
【図４】
2018037762.tif 000006
【図５】
2018037762.tif 000007
【図６】
2018037762.tif 000008
【図７】
2018037762.tif 000009
【図８】
2018037762.tif 000010
【図９】
2018037762.tif 000011
【図１０】
2018037762.tif 000012
【図１１】
2018037762.tif 000013
【図１２】
2018037762.tif 000014
【図１３】
2018037762.tif 000015
【図１４】
2018037762.tif 000016
【図１５】
2018037762.tif 000017